(57)【要約】【課題】遊技場の島の遊技機上側の幕板に取り付けられる遊技機用表示装置であり、表示装置から幕板孔を通って幕板裏側に引き込まれ、遊技機等に接続される配線が、遊技機等の点検、修理等の作業において幕板孔縁部との擦れ接触により損傷することを防止する。【解決手段】幕板３０に取り付けられるベース部材１１Ａを有しており、ベース部材１１Ａの配線通し孔１１１から引き出され、幕板孔３１から幕板裏側に引き込まれる配線Ｌによって対応する遊技機１０に接続される遊技機用表示装置であり、幕板裏側に引き込まれる配線Ｌが幕板孔３１の縁部３１１に擦れ接触することを防止するための、配線Ｌを囲って幕板孔３１を貫通する配線保護筒状部１５Ａを備えている遊技機用表示装置１Ａ。【選択図】図１
2014097139.tif 000002
【特許請求の範囲】
【請求項１】
遊技機を配列した遊技場の島における遊技機上側の幕板に取り付けられる遊技機用表示装置であって、前記幕板に向けられて該幕板に取り付けられるベース部材を有しており、該ベース部材の配線通し孔から引き出され、該幕板に形成された幕板孔から該幕板裏側に引き込まれる配線によって対応する遊技機に電気的に接続される遊技機用表示装置であり、前記ベース部材の配線通し孔から引き出されて前記幕板孔から該幕板裏側に引き込まれる配線が該幕板孔の縁部に擦れ接触することを防止するための、該幕板への遊技機用表示装置取り付け状態において前記配線を囲って該幕板孔を貫通する配線保護筒状部を備えていることを特徴とする遊技機用表示装置。
【請求項２】
前記配線保護筒状部の前記幕板裏側の端縁に前記配線の擦れ接触損傷抑制用の丸み付けが施されている請求項１記載の遊技機用表示装置。
【請求項３】
前記配線保護筒状部の少なくとも前記幕板裏側の端縁部に前記配線の擦れ接触損傷抑制用のブッシュが嵌着されている請求項１又は２記載の遊技機用表示装置。
【請求項４】
前記ベース部材は前記幕板に直接取り付けることができる部材であり、該ベース部材が前記幕板に直接取り付けられる状態で該幕板に取り付け可能であり、該ベース部材に前記配線保護筒状部が設けられている請求項１、２又は３記載の遊技機用表示装置。
【請求項５】
前記幕板に取り付け可能で、前記ベース部材の配線通し孔から引き出される前記配線を前記幕板孔側へ貫通させる開口を有する取り付け板を含んでおり、前記取り付け板が前記幕板に取り付けられ、該取り付け板に前記ベース部材が取り付けられる状態で該幕板に取り付け可能であり、該取り付け板に前記配線保護筒状部が設けられている請求項１、２又は３記載の遊技機用表示装置。
【請求項６】
前記幕板に取り付け可能で、前記ベース部材の配線通し孔から引き出される前記配線を前記幕板孔側へ貫通させる開口を有する取り付け板を含んでおり、前記取り付け板が前記幕板に取り付けられ、該取り付け板に前記ベース部材が取り付けられる状態で該幕板に取り付け可能であり、前記ベース部材に前記配線保護筒状部が設けられており、該取り付け板の前記開口は該配線保護筒状部の貫通を許す開口である請求項１、２又は３記載の遊技機用表示装置。
【発明の詳細な説明】
【技術分野】
【０００１】
本発明はパチンコ機、パチスロ機等の遊技機に用いる遊技機用表示装置に関する。
【背景技術】
【０００２】
図７に例示するように、パチンコ機、パチスロ機等の遊技機１０を設けた遊技場では、遊技機１０が配列された、所謂島２０が設置されている。島２０における遊技機１０の上側に設けられた一般に幕板と称されている部材３０に遊技機１０に対応させて遊技機用表示装置１が取り付けられている。
【０００３】
遊技機用表示装置１は、例えば、遊技機等に関する各種情報、例えば、その遊技機における大当たり、大当たり回数、各種履歴、不正行為等を表示する表示部及びその表示部の動作を制御する制御基板等を含んでいる。また、トラブルが発生したとき等に店員を呼びだすための呼び出しスイッチ及び／又は呼び出しランプが設けられていることが多い。
【０００４】
このような遊技機用表示装置１は図８、図９に例示するように、背面側にベース部材を有しているのが一般的である。それに限定されないが、これらの例では、このベース部材に表示装置に組込まれる前記表示部、前記制御基板等が搭載される。
【０００５】
遊技機用表示装置１は、図８に例示するようにベース部材１１が直接幕板３０に取り付けられる状態で、或いは図９に例示するようにベース部材１１’が取り付け板１２を介して幕板３０に取り付けられる状態で、幕板３０に取り付けられる。図９に示す例では、取り付け板１２が幕板３０に取り付けられ、この取り付け板１２にワンタッチ方式の係合機構１３によりベース部材１１’が取り付けられている。
【０００６】
表示装置１が幕板３０に取り付けられた状態では、ベース部材１１に形成された配線通し孔１１１から引き出された通常複数本の線群からなる配線Ｌが、図８の例では幕板３０に形成された幕板孔３１に通され、図９の例では取り付け板１２の開口１２１に通されるとともに幕板孔３１に通され、幕板３０の裏側に引き込まれる。
【０００７】
このように幕板裏側に引き込まれた配線Ｌは、対応する遊技機１０に接続され、また、必要に応じ、複数の遊技機１０に共通の制御部、監視部等にも電気的に接続される。
【０００８】
この種の遊技機用表示装置１は例えば特開２００８−１０４５１９号公報に記載されている。
【先行技術文献】
【特許文献】
【０００９】
【特許文献２】特開２００８−１０４５１９号公報
【発明の概要】
【発明が解決しようとする課題】
【００１０】
ところが、遊技機１０の点検、故障修理等にあったては、遊技機１０に背後からアクセスするために、幕板下側の遊技機取り付けフレームＦから遊技機１０が外されたり、図７に例示するようにフレームＦにヒンジ１０１で連結された遊技機ではヒンジを中心に開かれたりする。点検、故障修理等が終了すると、フレームＦに再び取り付けられたり、フレームＦに閉じられたりする。このような点検、修理等の作業においては、図８、図９に例示するように、配線Ｌが引っ張られて幕板孔３１の縁部３１１に擦れ接触し、配線Ｌを構成している線群中の１又は複数本の線が断線したり、該線の絶縁被膜が破れて線本体同士が接触したり、該線の絶縁被膜が破れて線本体と幕板孔縁部が接触したりして、遊技機用表示装置や遊技機が動作不良を起こしたり、その配線に接続された複数の遊技機１０に共通の制御部、監視部等がある場合にはそれらが動作不良を起こしたりする恐れがある。
【００１１】
幕板３０は金属板から形成されていることが多く、幕板孔３１はその金属板の打ち抜き加工等による孔あけ加工で形成されることが多く、そのように形成された幕板孔３１では孔縁部が粗く、滑らかでない。このような幕板孔の場合には、なおさら配線Ｌが擦れ接触により損傷し易い。
【００１２】
そこで本発明は、遊技機を配列した遊技場の島における遊技機上側の幕板に取り付けられる遊技機用表示装置であって、前記幕板に向けられて該幕板に取り付けられるベース部材を有しており、該ベース部材の配線通し孔から引き出され、該幕板に形成された幕板孔から該幕板裏側に引き込まれる配線によって対応する遊技機に電気的に接続される遊技機用表示装置であり、前記ベース部材の配線通し孔から引き出されて前記幕板孔から該幕板裏側に引き込まれる配線が、遊技機用表示装置に対応する遊技機の点検、修理等の作業において該幕板孔の縁部と擦れ接触して損傷し、延いては遊技機用表示装置や遊技機が動作不良を起こしたり、その配線に接続された複数の遊技機に共通の制御部、監視部等がある場合にはそれらが動作不良を起こしたりすることを防止できる遊技機用表示装置を提供することを課題とする。
【課題を解決するための手段】
【００１３】
本発明は前記課題を解決するため、
遊技機を配列した遊技場の島における遊技機上側の幕板に取り付けられる遊技機用表示装置であって、前記幕板に向けられて該幕板に取り付けられるベース部材を有しており、該ベース部材の配線通し孔から引き出され、該幕板に形成された幕板孔から該幕板裏側に引き込まれる配線によって対応する遊技機に電気的に接続される遊技機用表示装置であり、前記ベース部材の配線通し孔から引き出されて前記幕板孔から該幕板裏側に引き込まれる配線が該幕板孔の縁部に擦れ接触することを防止するための、該幕板への遊技機用表示装置取り付け状態において前記配線を囲って該幕板孔を貫通する配線保護筒状部を備えている遊技機用表示装置を提供する。
【００１４】
この遊技機用表示装置によると、前記ベース部材の配線通し孔から引き出されて前記幕板孔から該幕板裏側に引き込まれる配線は、該幕板への遊技機用表示装置取り付け状態において、該幕板孔を貫通する配線保護筒状部に囲まれており、該幕板孔の縁部には接触しない状態におかれる。したがって、遊技機用表示装置に対応する遊技機の点検、修理等の作業において該配線が引っ張られても、該配線が該幕板孔の縁部と擦れ接触することが防止され、したがって、該幕板孔の縁部と擦れ接触したとすれば発生する、或いは発生する恐れのある配線損傷が防止され、延いては遊技機用表示装置や遊技機の動作不良の発生や、その配線に接続された複数の遊技機に共通の制御部、監視部等がある場合にはそれらの動作不良の発生を防止できる。
【００１５】
前記幕板裏側に引き込まれた前記配線は、前記配線保護筒状部の前記幕板裏側の端縁と接触することになる。そこで、より確実に配線の損傷を抑制するために、前記配線保護筒状部の前記幕板裏側の端縁に前記配線の擦れ接触損傷抑制用の丸み付けが施されていてもよい。
【００１６】
この丸み付けは、例えば、前記配線保護筒状部の前記幕板裏側の端の内周縁及び／又は外周縁を平坦面取りしたり、断面円弧状の面取り等の形態にしたりすることで施すことができる。或いは、例えば、前記配線保護筒状部の前記幕板裏側の端縁を折り返し丸め状態の形態にすることで施すことができる。
【００１７】
なお、例えば、前記配線保護筒状部を合成樹脂製のものとし、そのような合成樹脂製の配線保護筒状部の前記幕板裏側の端縁を、前記金属製幕板に形成された幕板孔の縁部と比べると滑らかに形成する場合には、丸み付けがなくてもよく、丸み付けがあったとしても、合成樹脂成形時に角部分に形成される僅かな角丸み程度でもよい。
【００１８】
また、前記丸み付けとともに、又は前記丸み付けに代えて、前記配線保護筒状部の少なくとも前記幕板裏側の端縁部に前記配線の擦れ接触損傷抑制用のブッシュを嵌着してもよい。該ブッシュとしてゴム製のものや合成樹脂製のものを例示できる。
【００１９】
本発明にかかる遊技機用表示装置は、前記ベース部材を前記幕板に直接取り付けるタイプのものでも、前記ベース部材を取り付け板を介して前記幕板に取り付けるタイプのものでもよい。
【００２０】
前記ベース部材を前記幕板に直接取り付けるタイプの遊技機用表示装置は、前記ベース部材が前記幕板に直接取り付けることができる部材であり、該ベース部材が前記幕板に直接取り付けられる状態で該幕板に取り付け可能であり、該ベース部材に前記配線保護筒状部が設けられている。
【００２１】
前記ベース部材を取り付け板を介して前記幕板に取り付けるタイプの遊技機用表示装置は、前記幕板に取り付け可能で、前記ベース部材の配線通し孔から引き出される前記配線を前記幕板孔側へ貫通させる開口を有する取り付け板を含んでおり、前記取り付け板が前記幕板に取り付けられ、該取り付け板に前記ベース部材が取り付けられる状態で該幕板に取り付け可能であり、（１）該取り付け板に前記配線保護筒状部が設けられているか、又は（２）前記ベース部材に前記配線保護筒状部が設けられており、該取り付け板の前記開口は該配線保護筒状部の貫通を許す開口である。
【発明の効果】
【００２２】
以上説明したように本発明によると、遊技機を配列した遊技場の島における遊技機上側の幕板に取り付けられる遊技機用表示装置であって、前記幕板に向けられて該幕板に取り付けられるベース部材を有しており、該ベース部材の配線通し孔から引き出され、該幕板に形成された幕板孔から該幕板裏側に引き込まれる配線によって対応する遊技機に電気的に接続される遊技機用表示装置であり、前記ベース部材の配線通し孔から引き出されて前記幕板孔から該幕板裏側に引き込まれる配線が、遊技機用表示装置に対応する遊技機の点検、修理等の作業において該幕板孔の縁部と擦れ接触して損傷し、延いては遊技機用表示装置や遊技機が動作不良を起こしたり、その配線に接続された複数の遊技機に共通の制御部、監視部等がある場合にはそれらが動作不良を起こしたりすることを防止できる遊技機用表示装置を提供することができる。
【図面の簡単な説明】
【００２３】
【図１】本発明に係る遊技機用表示装置の１例を幕板に取り付けた状態で表示装置側面から見て示す図である。
【図２】本発明に係る遊技機用表示装置の他の例を幕板に取り付けた状態で表示装置側面から見て示す図である。
【図３】図２に示す遊技機用表示装置のベース部材と取り付け板の相互係合機構を説明するための図である。
【図４】本発明に係る遊技機用表示装置のさらに他の例を幕板に取り付けた状態で表示装置側面から見て示す図である。
【図５】図（Ａ）はベース部材に設けられた配線保護筒状部の他の例を示す図であり、図（Ｂ）はベース部材に設けられた配線保護筒状部のさらに他の例を示す図であり、図（Ｃ）はベース部材に設けられた配線保護筒状部のさらに他の例を示す図である。
【図６】ベース部材に設けられた配線保護筒状部のさらに他の例を示す図である。
【図７】遊技場における遊技機を配列した島の例の一部を示す図である。
【図８】従来の遊技機用表示装置の１例を幕板に取り付けた状態で表示装置側面から見て示す図である。
【図９】従来の遊技機用表示装置の他の例を幕板に取り付けた状態で表示装置側面から見て示す図である。
【発明を実施するための形態】
【００２４】
以下、本発明の幾つかの実施形態を図面を参照して説明する。
＜第１実施形態＞
図１は本発明に係る遊技機用表示装置の１例１Ａを表示装置側面から見て示している。
表示装置１Ａは、後述する配線保護筒状部１５Ａを備えている点を除けば、図８に示す表示装置と同様のものである。
【００２５】
表示装置１Ａは、図７の表示装置１と同様に、遊技場の島２０の遊技機１０の上側の幕板３０に取り付けられている。
【００２６】
遊技機１０はパチンコ機、パチスロ機等のいずれかであり、この例では図７に示す場合と同様に、ヒンジ１０１でフレームＦに連結されており、ヒンジ１０１を中心にフレームＦに対し開閉可能である。
【００２７】
幕板３０は一般的にそうであるように、この例でも金属板から形成されている。遊技機用表示装置１Ａは、各遊技機１０に対応させて、遊技機１０の上側において幕板３０に取り付けられている。
【００２８】
表示装置１Ａは、遊技機１０に関する各種情報、例えば、遊技機１０における大当たり、大当たり回数、各種履歴、不正行為等を表示する表示部及びその表示部の動作を制御する制御基板等を含んでいる。また、トラブルが発生したとき等に店員を呼びだすための呼び出しスイッチ及び呼び出しランプも設けられている。
【００２９】
表示装置１Ａは、図１に示すように、背面側にベース部材１１Ａを有している。それとは限定されないが、この例ではベース部材１１Ａに表示装置に組込まれる前記表示部、前記制御基板等が搭載される。表示装置１Ａはベース部材１１Ａが幕板３０にネジ止め等されることで幕板３０に取りつけられる。ベース部材１１Ａの幕板３０への取り付けにあたっては、必要に応じ、表示装置１Ａの正面側カバー１４等が取り外され、その後に再取り付けされる。
【００３０】
表示装置１Ａは、図７の表示装置１では設けられていなかった配線保護筒状部１５Ａを有している。
【００３１】
配線保護筒状部１５Ａはベース部材１１Ａ本体に後付けされてもよいが、本例では、ベース部材１１Ａ本体及び配線保護筒状部１５Ａは、合成樹脂で一体的に形成されている。  配線保護筒状部１５Ａは、ベース部材１１Ａの配線通し孔１１１から引き出されて金属幕板３０の幕板孔３１から幕板裏側に引き込まれる配線Ｌが幕板孔３１の縁部３１１に擦れ接触することを防止するためのものである。
【００３２】
配線保護筒状部１５Ａは、表示装置１Ａを幕板３０に取り付けた状態において配線Ｌを囲って幕板孔３１を貫通する。配線Ｌは全部又は部分的に対応する遊技機１０に接続され、また、必要に応じ、複数の遊技機１０に共通の制御部等にも電気的に接続される。
【００３３】
＜第２実施形態＞
図２は本発明に係る遊技機用表示装置の他の例１Ｂを表示装置側面から見て示している。
表示装置１Ｂは、後述する配線保護筒状部１５Ｂを備えている点を除けば、図９に示す表示装置と同様のものである。
【００３４】
表示装置１Ｂは、図７の表示装置１と同様に、遊技場の島２０の遊技機１０の上側の幕板３０に取り付けられている。
【００３５】
幕板３０は一般的にそうであるように、この例でも金属板から形成されている。遊技機用表示装置１Ｂは、各遊技機１０に対応させて、遊技機１０の上側において幕板３０に取り付けられている。
【００３６】
表示装置１Ｂも、遊技機１０に関する各種情報、例えば、遊技機１０における大当たり、大当たり回数、各種履歴、不正行為等を表示する表示部及びその表示部の動作を制御する制御基板等を含んでいる。また、トラブルが発生したとき等に店員を呼びだすための呼び出しスイッチ及び呼び出しランプも設けられている。
【００３７】
表示装置１Ｂは、図２に示すように、図９の表示装置におけるベース部材と同様のベース部材１１Ｂを有している。表示装置１Ｂは、さらに、取り付け板１２Ｂを含んでいる。図２において、取り付け板１２Ｂは断面で示されているわけではないが、分かり易くするため破線斜線を施して示してある。後述する図４の取り付け板１２Ｃも同様の手法で示してある。
【００３８】
表示装置１Ｂは、取り付け板１２Ｂが幕板３０にネジ止め等され、この取り付け板１２Ｂにベース部材１１Ｂがワンタッチ方式の係合機構１３により係合接続されることで、幕板３０に取り付けられる。
【００３９】
係合機構１３は、図３に示すように、ベース部材１１Ｂの、取り付け板１２Ｂに向けられる面に立設した脚片１３１ａの頂部に支持される頂部片１３１を、取り付け板１２Ｂに形成した係合用孔１３２に嵌めこみ貫通させ、次いでベース部材１１Ｂを図３に示す矢印α方向にスライドさせて、脚片１３１ａを係合用孔１３２の狭い部分１３２ａへ差し込み、同時に、ベース部材１１Ｂに形成しておいた隆起部１３３も矢印α方向へ移動させ、それにより、取り付け板１２Ｂに形成された板ばね様部分１３４の下側にスライドさせて、ベース部材１１Ｂに向けられた、該部分１３４の突起部１３４ａを隆起部１３３に係合させることができるものである。なお、図３において、ｈは取り付け板１２Ｂを幕板３０へ取り付けるためのネジ孔である。
【００４０】
配線保護筒状部１５Ｂは取り付け板１２Ｂに設けられている。配線保護筒状部１５Ｂは取り付け板１２Ｂに後付けされてもよいが、本例では、取り付け板１２Ｂ及び配線保護筒状部１５Ｂは、合成樹脂で一体的に形成されている。
【００４１】
配線保護筒状部１５Ｂは、ベース部材１１Ｂの配線通し孔１１１から引き出され、取り付け板１２Ｂの開口部１２１を通って幕板孔３１から幕板裏側に引き込まれる配線Ｌが幕板孔３１の縁部３１１に擦れ接触することを防止するためのものである。配線保護筒状部１５Ｂは、表示装置１Ｂを幕板３０へ取り付けた状態において配線Ｌを囲って幕板孔３１を貫通する。配線Ｌは全部又は部分的に対応する遊技機１０に接続され、また、必要に応じ、複数の遊技機１０に共通の制御部等にも電気的に接続される。
【００４２】
＜第３実施形態＞
図４は本発明に係る遊技機用表示装置の他の例１Ｃを表示装置側面から見て示している。
表示装置１Ｃは、後述する配線保護筒状部１５Ｃを備えている点を除けば、図９に示す表示装置と同様のものである。
【００４３】
表示装置１Ｃは、図７の表示装置１と同様に、遊技場の島２０の遊技機１０の上側の幕板３０に取り付けられている。
【００４４】
幕板３０はこの例でも金属板から形成されている。遊技機用表示装置１Ｃは、各遊技機１０に対応させて、遊技機１０の上側において幕板３０に取り付けられている。
【００４５】
表示装置１Ｃも、遊技機１０に関する各種情報、例えば、遊技機１０における大当たり、大当たり回数、各種履歴、不正行為等を表示する表示部及びその表示部の動作を制御する制御基板等を含んでいる。また、トラブルが発生したとき等に店員を呼びだすための呼び出しスイッチ及び呼び出しランプも設けられている。
【００４６】
表示装置１Ｃは、図４に示すように、背面側にベース部材１１Ｃを有している。この例でもベース部材１１Ｃに表示装置に組込まれる前記表示部、前記制御基板等が搭載される。また、表示装置１Ｃは、さらに、取り付け板１２Ｃを含んでいる。
【００４７】
表示装置１Ｃは、取り付け板１２Ｃが幕板３０にネジ止め等され、この取り付け板１２Ｃにベース部材１１Ｃがワンタッチ方式の係合機構１３により係合接続されることで、幕板３０に取り付けられる。係合機構１３は図３に示すものと実質上同じものである。
【００４８】
配線保護筒状部１５Ｃはベース部材１１Ｃに設けられている。配線保護筒状部１５Ｃはベース部材１１Ｃに後付けされてもよいが、本例では、ベース部材１１Ｃ及び配線保護筒状部１５Ｃは、合成樹脂で一体的に形成されている。
【００４９】
配線保護筒状部１５Ｃは、ベース部材１１Ｃの配線通し孔１１１から引き出され、取り付け板１２Ｃの開口部１２１’を通って幕板孔３１から幕板裏側に引き込まれる配線Ｌが幕板孔３１の縁部３１１に擦れ接触することを防止するためのものである。配線保護筒状部１５Ｃは、表示装置１Ｃを幕板３０へ取り付けた状態において配線Ｌを囲って取り付け板開口部１２１’及び幕板孔３１を貫通する。配線Ｌは全部又は部分的に対応する遊技機１０に接続され、また、必要に応じ、複数の遊技機１０に共通の制御部等にも電気的に接続される。
【００５０】
図１、図２、図４に示す表示装置１Ａ、１Ｂ、１Ｃにおいても、遊技機１０の点検、故障修理等にあったては、遊技機１０に背後からアクセスするために、遊技機１０が取り付けフレームＦから開かれる。点検、故障修理等が終了すると、フレームＦに再び閉じられる。
【００５１】
しかし、このような点検、修理等の作業において配線Ｌは幕板孔３１を貫通する配線保護筒状部１５Ａ、１５Ｂ又は１５Ｃに囲まれており、幕板孔３１の縁部３１１には接触しない状態におかれる。したがって、遊技機用表示装置１Ａ、１Ｂ、１Ｃに対応する遊技機の点検、修理等の作業において配線Ｌが引っ張られても幕板孔３１の縁部３１１と擦れ接触することが防止され、したがって、幕板孔縁部３１１と擦れ接触したとすれば発生する、或いは発生する恐れのある配線損傷が防止され、延いては遊技機用表示装置１Ａ、１Ｂ、１Ｃや遊技機１０の動作不良の発生や、その配線に接続された複数の遊技機に共通の制御部、監視部等の動作不良の発生を防止できる。
【００５２】
＜その他の実施形態＞
一層確実に配線Ｌの損傷を抑制するために、配線保護筒状部１５Ａ、１５Ｂ、１５Ｃの幕板裏側の端縁に配線の擦れ接触損傷抑制用の丸み付けを施しておいてもよい。
【００５３】
図５は配線保護筒状部１５Ａの幕板裏側の端縁に配線の擦れ接触損傷抑制用の丸み付けを施した例を示している。図５（Ａ）に示す例では、筒状部１５Ａの内周縁１５１を断面形状円弧状に面取り形態に形成することで丸み付けされている。
【００５４】
図５（Ｂ）に示す例では、筒状部１５Ａの端縁１５２を断面形状半円形状に面取り形態に形成することで丸み付けされている。
【００５５】
図５（Ｃ）に示す例では、筒状部１５Ａの端縁１５３を外側へ丸めた形態に形成することで丸み付けされている。
配線保護筒状部１５Ｂ、１５Ｃについても、同様に丸み付けを施してもよい。
【００５６】
丸み付けについては、図面には示していないが、上記のほか、例えば、配線保護筒状部１５Ａ、１５Ｂ、１５Ｃの幕板３０裏側の端の内周縁及び／又は外周縁を平坦面取り形態とすることでも施すことができる。
【００５７】
なお、前記のように配線保護筒状部１５Ａ、１５Ｂ、１５Ｃを合成樹脂製のものとする場合において、その配線保護筒状部の幕板裏側の端縁を、金属製幕板３０に形成された幕板孔３１の縁部と比べると滑らかに形成しておけば、丸み付けがなくてもよく、丸み付けがあったとしても、合成樹脂成形時に角部分に形成される僅かな角丸み程度でもよい。
【００５８】
また、前記丸み付けとともに、又は前記丸み付けに代えて、配線保護筒状部１５Ａ、１５Ｂ、１５Ｃの少なくとも幕板３０裏側の端縁部に配線Ｌの擦れ接触損傷抑制用の、ゴム製、合成樹脂製等のブッシュを嵌着してもよい。図６は配線保護筒状部１５Ａの幕板３０裏側の端縁部１５４を含む全体に配線Ｌの擦れ接触損傷抑制用のブッシュ１５０を嵌着した例を示している。配線保護筒状部１５Ｂ、１５Ｃにも、同様のブッシュを採用できる。
【産業上の利用可能性】
【００５９】
本発明は遊技場の島の遊技機上側の幕板に取り付けられる遊技機用表示装置であって、該表示装置のベース部材の配線通し孔から引き出され、該幕板孔から該幕板裏側に引き込まれ、対応する遊技機に接続される配線が、該遊技機の点検、修理等の作業において幕板孔の縁部との擦れ接触により損傷することを防止できる遊技機用表示装置を提供することに利用できる。
【符号の説明】
【００６０】
１０遊技機
１０１  ヒンジ
２０  島
Ｆ  フレーム
３０  幕板
３１  幕板孔
３１１  孔３１の縁部
１Ａ、１Ｂ、１Ｃ  遊技機用表示装置
１５Ａ、１５Ｂ、１５Ｃ  配線保護筒状部
１１Ａ、１１Ｂ、１１Ｃ  ベース部材
１１１  配線通し孔
１２Ｂ，１２Ｃ  取り付け板
１２１，１２１’  開口部
１３  係合機構
１５１、１５２、１５３  筒状部１５Ａの端縁
１５０  ブッシュ
１５４    筒状部１５Ａの端縁部
【図１】
2014097139.tif 000003
【図２】
2014097139.tif 000004
【図３】
2014097139.tif 000005
【図４】
2014097139.tif 000006
【図５】
2014097139.tif 000007
【図６】
2014097139.tif 000008
【図７】
2014097139.tif 000009
【図８】
2014097139.tif 000010
【図９】
2014097139.tif 000011